(57)【要約】【課題】  建築設計製図の屋根伏せ図の作成に於いて、複雑な平面形状をなす建築物の屋根伏せ図の作成は大変困難である。このことは従来、屋根伏せ図の作成において、作成時に屋根の高さを考慮に入れ、屋根を立体的な概念でとらえ作成することが多かったため、作業が大変難しく感じられた。【解決手段】  本発明は、同一寸法の方形の硬質プラスチック製透明板で作られた第一型板（１）、第二型板（２）、第三型板（３）の３枚１組から成る屋根伏せ図作成用型板であって、作図を助けるための図案Ａ、図案Ｂ、図案Ｃの図柄を構成した溝が穿たれていて、この３枚１組の型板を使用して屋根伏せ図が容易に描けるようにしたものである。【選択図】  図１
2007098927.tif 000002
【特許請求の範囲】
【請求項１】
この型板は、同一寸法の方形の硬質プラスチック製透明板で作られた第一型板（１）、第二型板（２）、第三型板（３）の３枚１組から成る屋根伏せ図作成用型板であって、これら３枚の型板のいずれにも鉛筆の芯の太さが入る程度の溝で構成された複数個の図案が穿たれており、
第一型板（１）の図案Ａは、開口部（イ）を上に向けたコ字状であって、その底辺の長さがｎセンチメートルの底辺溝（１１）、右辺及び左辺の長さが（ｎ＋２）センチメートルの右辺溝（１２）と左辺溝（１３）、この右辺溝（１２）の中心線と底辺溝（１１）の中心線との交点より、右辺溝（１２）の中心線上に寸法がｎセンチメートル上方の箇所から底辺溝（１１）に平行な横棒状で中心線の長さ（ｎ−１）センチメートルの横棒溝（１４）から成る図案であって、この図案Ａには、右辺溝（１２）と左辺溝（１３）との間を結ぶ線が右辺溝（１２）の中心線上において底辺溝（１１）の中心線から上方に１センチメートル刻みの位置に実線と破線で表された目盛（１５）で描かれ、又、横棒溝（１４）からもその中心線の左端から右方へ１センチメートル刻みの位置に、１センチメートルずつ長さを増す下側垂線が破線で表された目盛（１６）で描かれ、第一型板（１）には、この図案Ａがｎ値を１センチメートル刻みの整数値にして複数個、並べて配置されており、
第二型板（２）の図案Ｂは、４５°、４５°、９０°の内角を持つ底辺の長さがｎセンチメートルの底辺溝（２１）、右辺と左辺の長さが同じである右辺溝（２２）と左辺溝（２３）から成る二等辺三角形の右辺溝（２２）の中心線と左辺溝（２３）の中心線の交点である二等辺三角形（左辺溝（２３）は二等辺三角形の頂点（２４）に至る所で溝がつながっていない）の頂点（２４）から、底辺溝（２１）の中心線の長さｎセンチメートルと同じ長さの垂線を立て、それに溝を穿った垂線溝（２５）とし、その垂線溝（２５）の中心線である垂線をｎ等分した各点から右下の方向に二等辺三角形の右辺溝（２２）の中心線と平行かつ同じ長さの斜め線をｎ本引き、それに溝を穿った斜め溝（２６）、二等辺三角形の左辺溝（２３）側にも右辺溝（２２）側の場合と同じ要領で左右対称に、垂線溝（２５）の中心線である垂線をｎ等分した各点から左下の方向に二等辺三角形の左辺溝（２３）の中心線と平行かつ同じ長さの斜め線を仮想線としてｎ本想定し、この想定したそれぞれの仮想線の中点に、そして底辺溝（２１）の中心線の位置から上方に引いた仮想垂線上に並ぶように穿たれた、鉛筆の芯の太さが入る程度の丸穴（２７）から成る図案Ｂであって、第二型板（２）には、この図案Ｂがｎ値を１センチメートル刻みの整数値にして複数個、並べて配置されており、
第三型板（３）の図案Ｃは、４５°、４５°、９０°の内角を持つ底辺の長さがｎセンチメートルの底辺溝（３１）、右辺と左辺の長さが同じである右辺溝（３２）と左辺溝（３３）から成る二等辺三角形の右辺溝（３２）の中心線と左辺溝（３３）の中心線の交点である二等辺三角形（左辺溝（３３）は二等辺三角形の頂点（３４）に至る所で溝がつながっていない）の頂点（３４）から、左辺溝（３３）の中心線を右上方へ延ばした延長線上に底辺溝（３１）の中心線の右端より立てた仮想垂線との交点（３５）を求め、二等辺三角形の頂点（３４）と、今、求めた交点（３５）を結び、その結んだ線の長さをｎ等分した各点から右下の方向に二等辺三角形の右辺溝（３２）と平行な斜め線を、底辺溝（３１）の中心線の右端より立てた仮想垂線に当たる所までｎ本引き、それに溝を穿った斜め溝（３６）と、先ほど求めた二等辺三角形の頂点（３４）と交点（３５）を結んだ線に溝を穿った延長線溝（３７）から成る図案Ｃであって、第三型板（３）には、この図案Ｃがｎ値を１センチメートル刻みの整数値にして複数個、並べて配置されており、
上記、第一型板（１）、第二型板（２）、第三型板（３）にそれぞれ並べて配置された図案Ａ、図案Ｂ、図案Ｃの個数が、同じか又は、一つ違いであることを特徴とする建築設計製図に於ける屋根伏せ図作成用型板。
【発明の詳細な説明】
【技術分野】
【０００１】  本発明は、建築設計製図に於ける屋根伏せ図作成の単純化を図る型板に関する。
【背景技術】  なし
【発明の開示】
【発明が解決しようとする課題】
【０００２】  建築設計製図の屋根伏せ図の作成に於いて、複雑な平面形状をなす建築物の屋根伏せ図の作成は大変困難である。このことは従来、屋根伏せ図の作成に於いて、作成時に屋根の高さを考慮に入れ、屋根を立体的な概念でとらえ作成することが多かったため、作業が大変難しく感じられた。【０００３】  本発明は、そのような複雑な平面形状をなす建築物の屋根伏せ図を描く場合、その描く手順を明確にし、屋根伏せ図作成用の型板を用いて作業を単純化し、屋根伏せ図を描くことで屋根を立体としてではなく全て平面としてとらえ、より容易な屋根伏せ図の作成の実現を目的とするものである。
【問題を解決するための手段】
【０００４】  そして、本発明は上記目的を達成するために、まず屋根伏せ図を作成するための明確な手順に従い、複雑な平面形状をなす建築物の平面を屋根伏せ図の作成が可能なように分割する第一型板（１）によって、定める規則にのっとり順序立てて分割する。但し、基本的に寄棟屋根作成の場合は四角形に、方形屋根作成の場合は、Ｌ字型に分割するものとする。
【０００５】  次に、複雑な平面形状をなす建築物の平面を分割した順序に従い、寄棟屋根の屋根伏せ図作成用の第二型板（２）と方形屋根の屋根伏せ図作成用の第三型板（３）のそれぞれの型板を使用し、屋根を立体としてではなく全て平面としてとらえ、作図することにより、作業の単純化を図る。
【０００６】  以上を上記の型板を用いて実施するが、この型板は図１に示すように同一寸法の方形の硬質プラスチック製透明板で作られた第一型板（１）、第二型板（２）、第三型板（３）の３枚１組から成る屋根伏せ図作成用型板であって、これら３枚の型板のいずれにも鉛筆の芯の太さが入る程度の溝で構成された複数個の図案が穿たれている。
【０００７】  第一型板（１）の図案Ａは、開口部（イ）を上に向けたコ字状であって、その底辺の長さがｎセンチメートルの底辺溝（１１）、右辺及び左辺の長さが（ｎ＋２）センチメートルの右辺溝（１２）と左辺溝（１３）、この右辺溝（１２）の中心線と底辺溝（１１）の中心線との交点より、右辺溝（１２）の中心線上に寸法がｎセンチメートル上方の箇所から底辺溝（１１）に平行な横棒状で中心線の長さ（ｎ−１）センチメートルの横棒溝（１４）から成る図案であって、この図案Ａには、右辺溝（１２）と左辺溝（１３）との間を結ぶ線が右辺溝（１２）の中心線上において、底辺溝（１１）の中心線から上方に１センチメートル刻みの位置に実線と破線で表された目盛（１５）で描かれ、又、横棒溝（１４）からもその中心線の左端から右方へ１センチメートル刻みの位置に、１センチメートルずつ長さを増す下側垂線が破線で表された目盛（１６）で描かれ、第一型板（１）には、この図案Ａがｎ値を１センチメートル刻みの整数値にして複数個、並べて配置されている。
【０００８】  第二型板（２）の図案Ｂは、４５°、４５°、９０°の内角を持つ底辺の長さがｎセンチメートルの底辺溝（２１）、右辺と左辺の長さが同じである右辺溝（２２）と左辺溝（２３）から成る二等辺三角形の右辺溝（２２）の中心線と左辺溝（２３）の中心線の交点である二等辺三角形（左辺溝（２３）は二等辺三角形の頂点（２４）に至る所で溝がつながっていない）の頂点（２４）から、底辺溝（２１）の中心線の長さｎセンチメートルと同じ長さの垂線を立て、それに溝を穿った垂線溝（２５）とし、その垂線溝（２５）の中心線である垂線をｎ等分した各点から右下の方向に二等辺三角形の右辺溝（２２）の中心線と平行かつ同じ長さの斜め線をｎ本引き、それに溝を穿った斜め溝（２６）、二等辺三角形の左辺溝（２３）側にも右辺溝（２２）側の場合と同じ要領で左右対称に、垂線溝（２５）の中心線である垂線をｎ等分した各点から左下の方向に二等辺三角形の左辺溝（２３）の中心線と平行かつ同じ長さの斜め線を仮想線としてｎ本想定し、この想定したそれぞれの仮想線の中点に、そして底辺溝（２１）の中心線の位置から上方に引いた仮想垂線上に並ぶように穿たれた、鉛筆の芯の太さが入る程度の丸穴（２７）から成る図案Ｂであって、第二型板（２）には、この図案Ｂがｎ値を１センチメートル刻みの整数値にして複数個、並べて配置されてる。
【０００９】  第三型板（３）の図案Ｃは、４５°、４５°、９０°の内角を持つ底辺の長さがｎセンチメートルの底辺溝（３１）、右辺と左辺の長さが同じである右辺溝（３２）と左辺溝（３３）から成る二等辺三角形の右辺溝（３２）の中心線と左辺溝（３３）の中心線の交点である二等辺三角形（左辺溝（３３）は二等辺三角形の頂点（３４）に至る所で溝がつながっていない）の頂点（３４）から、左辺溝（３３）の中心線を右上方へ延ばした延長線上に底辺溝（３１）の中心線の右端より立てた仮想垂線との交点（３５）を求め、二等辺三角形の頂点（３４）と、今、求めた交点（３５）を結び、その結んだ線の長さをｎ等分した各点から右下の方向に二等辺三角形の右辺溝（３２）と平行な斜め線を、底辺溝（３１）の中心線の右端より立てた仮想垂線に当たる所までｎ本引き、それに溝を穿った斜め溝（３６）と、先ほど求めた二等辺三角形の頂点（３４）と交点（３５）を結んだ線に溝を穿った延長線溝（３７）から成る図案Ｃであって、第三型板（３）には、この図案Ｃがｎ値を１センチメートル刻みの整数値にして複数個、並べて配置されてる。
【００１０】  上記、第一型板（１）、第二型板（２）、第三型板（３）にそれぞれ並べて配置された図案Ａ、図案Ｂ、図案Ｃの個数が、同じか又は、一つ違いであることを特徴とする建築設計製図に於ける屋根伏せ図作成用型板である。
【発明の効果】
【００１１】  上述したように、本発明の型板はどのように複雑な平面形状をなす建築物の屋根伏せ図でも、容易に作成することができる。
【発明を実施するための最良の形態】
【実施例１】
【００１２】  以下、本発明の実施の形態を一例に付き、図１〜図２９を用いて説明する。【００１３】  この型板は、それぞれ大きさが縦２０、５センチメートル、横２４センチメートルの同一寸法の方形で厚さが１ミリメートルの硬質プラスチック製透明板で作られた第一型板（１）、第二型板（２）、第三型板（３）の３枚１組からなる屋根伏せ図作成用型板であって、これら３枚の型板のいずれにも鉛筆の芯の太さが入る程度の溝で構成された複数個の図案が穿たれている。【００１４】  まず、第一型板（１）を図１に示す。【００１５】  第一型板（１）の図案Ａは、開口部（イ）を上に向けたコ字状であって、その底辺の長さが８センチメートルの底辺溝（１１）、右辺及び左辺の長さが１０センチメートルの右辺溝（１２）と左辺溝（１３）、この右辺溝（１２）の中心線と底辺溝（１１）の中心線との交点より、右辺溝（１２）の中心線上に寸法が８センチメートル上方の箇所から底辺溝（１１）に平行な横棒状で中心線の長さ７センチメートルの横棒溝（１４）から成る図案であって、この図案Ａには、右辺溝（１２）と左辺溝（１３）との間を結ぶ線が右辺溝（１２）の中心線上において底辺溝（１１）の中心線から上方に１センチメートル刻みの位置に実線と破線で表された目盛（１５）で描かれ、又、横棒溝（１４）からもその中心線の左端から右方へ１センチメートル刻みの位置に、１センチメートルずつ長さを増す下側垂線が破線で表された目盛（１６）で描かれ、第一型板（１）には、この図案Ａが底辺溝（１１）の中心線の長さの値と右辺溝（１２）の中心線及び左辺溝（１３）の中心線の底辺溝（１１）の中心線から横棒溝（１４）の中心線の高さまでの長さの値を８センチメートルから２センチメートルまで１センチメートル刻みの整数値にして複数個、並べて配置されている。【００１６】  次に、第二型板（２）を図１に示す。【００１７】  第二型板（２）の図案Ｂは、４５°、４５°、９０°の内角を持つ底辺の長さが８センチメートルの底辺溝（２１）、右辺と左辺の長さが同じである右辺溝（２２）と左辺溝（２３）から成る二等辺三角形の右辺溝（２２）の中心線と左辺溝（２３）の中心線の交点である二等辺三角形（左辺溝（２３）は二等辺三角形の頂点（２４）に至る所で溝がつながっていない）の頂点（２４）から、底辺溝（２１）の中心線の長さ８センチメートルと同じ長さの垂線を立て、それに溝を穿った垂線溝（２５）とし、その垂線溝（２５）の中心線である垂線を８等分した各点から右下の方向に二等辺三角形の右辺溝（２２）の中心線と平行かつ同じ長さの斜め線を８本引き、それに溝を穿った斜め溝（２６）、二等辺三角形の左辺溝（２３）側にも右辺溝（２２）側の場合と同じ要領で左右対称に、垂線溝（２５）の中心線である垂線を８等分した各点から左下の方向に二等辺三角形の左辺溝（２３）の中心線と平行かつ同じ長さの斜め線を仮想線として８本想定し、この想定したそれぞれの仮想線の中点に、そして底辺溝（２１）の中心線の位置から上方に引いた仮想垂線上に並ぶように、穿たれた鉛筆の芯の太さが入る程度の丸穴（２７）から成る図案Ｂであって、第二型板（２）には、この図案Ｂが底辺溝（２１）の中心線の長さの値と二等辺三角形の頂点（２４）から立てた垂線溝（２５）の中心線の長さの値を８センチメートルから１センチメートルまで１センチメートル刻みの整数値にして複数個、並べて配置されている。【００１８】  最後に、第三型板を図１に示す。【００１９】  第三型板（３）の図案Ｃは、４５°、４５°、９０°の内角を持つ底辺の長さが８センチメートルの底辺溝（３１）、右辺と左辺の長さが同じである右辺溝（３２）と左辺溝（３３）から成る二等辺三角形の右辺溝（３２）の中心線と左辺溝（３３）の中心線の交点である二等辺三角形（左辺溝（３３）は二等辺三角形の頂点（３４）に至る所で溝がつながっていない）の頂点（３４）から、左辺溝（３３）の中心線を右上方へ延ばした延長線上に底辺溝（３１）の中心線の右端より立てた仮想垂線との交点（３５）を求め、二等辺三角形の頂点（３４）と、今、求めた交点（３５）を結び、その結んだ線の長さを８等分した各点から右下の方向に二等辺三角形の右辺溝（３２）と平行な斜め線を、底辺溝（３１）の中心線の右端より立てた仮想垂線に当たる所まで８本引き、それに溝を穿った斜め溝（３６）と、先ほど求めた二等辺三角形の頂点（３４）と交点（３５）を結んだ線に溝を穿った延長線溝（３７）から成る図案Ｃであって、第三型板（３）には、この図案Ｃが二等辺三角形の底辺溝（３１）の中心線の長さの値と底辺溝（３１）の中心線の右端より立てた仮想垂線の底辺溝（３１）の中心線の位置から上部の先ほど求めた交点（３５）までの長さの値を８センチメートルから２センチメートルまで１センチメートル刻みの整数値にして複数個、並べて配置されてる。【００２０】  上記、第一型板（１）、第二型板（２）、第三型板（３）にそれぞれ並べて配置された図案Ａ、図案Ｂ、図案Ｃの個数が、７か又は、８であることを特徴とする建築設計製図に於ける屋根伏せ図作成用型板である。【００２１】  次に、この３枚の型板を用いて、屋根伏せ図の作成を行う時のやり方を図２〜図２５を用いて説明し、分割図や屋根伏せ図の作成時に作図線を描いた箇所は、黒い太線で示す。図２に示すような複雑な平面形状をなす建築物に寄棟屋根と方形屋根を用いて屋根伏せ図を作成するには、まず初めに、その複雑な平面形状を図３から図１６に示すようないくつかの寄棟屋根の屋根伏せ図作成用の四角形、又は、方形屋根の屋根伏せ図作成用のＬ字型に分割する。ただし、この分割に関しては、四角形やＬ字型の大きさのより大きいものから順に分割するものとし、そしてその四角形やＬ字型の大きさについては、最初に分割する最も大きなもの（これは、必ず寄棟屋根の屋根伏せ図作成用の長方形か方形屋根の屋根伏せ図作成用の正方形のどちらかになる。そして、このように、最初に分割する最も大きさの大きなものの分割の場合に限り、方形屋根の屋根伏せ図作成用のものでもＬ字型にはならず、正方形となる。）の大きさは四角形の短辺方向の辺の長さの長いものほど大きさの大きいものと考え、もしその短辺方向の辺の長さの一番長いものを持つ四角形が２つ以上ある場合には、四角形の大きさの判定をそれらの面積の大小で判断するものとする。また、その後に分割する四角形やＬ字型の大きさについては、既に分割済みの形（もしくはそれらの合体した形）が、そ���以外の他の部分の平面形状と接している所の辺の長さの長短で判断するものとし、分割については、それらの辺の内、最も長さの長いものを一辺として考えられるものを最も大きな四角形やＬ字型と考え、分割する。屋根の分割においては、以上のような原則を元に行い、これらの原則を守らなければ、後の屋根伏せ図の作成ができなくなる。【００２２】  実際の作業では、まず図３のように、この複雑な平面形状の中で考えられる一番大きな四角形（短辺方向の長さが４センチメートル）を全体の平面形状より分割し、寄棟屋根の屋根伏せ図作成用の四角形１とする。【００２３】  そして、図４に示すように、既に分割済みの最も大きな四角形１が、四角形１以外の他の部分の平面形状と接している所の辺の内、最も長さの長いもの（この場合３センチメートル）を１辺として考えられる最も大きさの大きい四角形を分割し、寄棟屋根の屋根伏せ図作成用の四角形２とする。この時、四角形１と四角形２を分ける線のことを分割線という。そして、この場合、寄棟屋根の屋根伏せ図作成用の四角形を分割するには、図１に示す第一型板（１）である四角形（方形屋根の場合はＬ字型）を分割する型板（型板の底辺溝（１１）の中心線の長さが３センチメートルのもの）を用いて、図５のような要領で、まず型板にあるコ字状の形をした部分の底辺ＡＢ（型板の底辺溝（１１）の点Ａ，Ｂを結んだ中心線である線分ＡＢ、以下同様）を図の四角形１の線分Ａ’Ｂ’に重ねて置き、次に型板の線分ＡＢを図のように平面形状の範囲内で矢印の方向へずらす。この時、型板の線分ＡＢのずらし得る範囲を考えると、線分ＡＢの一部分が図の線分ＣＤと重なる所までしかずらすことができず、これを実際にずらしてみると型板の点Ａのずらし得る移動範囲は、図の点Ｃと重なる所までの範囲ということになる。そして、この型板を平面形状の範囲内で最大限ずらすという作業が、この場合の考えられる最も大きい四角形を求めることになっている。次に型板の作図順序である番号１から順に番号４まで黒く塗った部分を一筆書きで鉛筆等でなぞることにより、容易に寄棟屋根の屋根伏せ図作成用の四角形２が分割できる。【００２４】  但し、この型板をずらして寄棟屋根の屋根伏せ図の四角形を分担する際には、以下のような注意が必要である。それは一般に、先に分割を行った四角形の分割に使用した分割線に対して直角方向にある分割線を用い、次に分割する四角形の分割を行う場合、型板をずらす時に今、分割した四角形の分割線に対して直角方向にある次に分割しようとする四角形の分割線の長さが今、分割した四角形の分割線の長さより長くならない範囲でずらさなければならない。このことは、四角形の後に方形屋根の屋根伏せ図作成用のＬ字型を分割する際も同様である。又、Ｌ字型の分割の次に四角形やＬ字型の分割を行う場合も同様で、次に分割分割しようとするものが四角形である場合は、その分割線の長さが今、分割したＬ字型の分割線の長さ＋１センチメートル（これは、この方形屋根の１辺の長さである。）より長くならないよう、又、次に分割しようとするものがＬ字型である場合は、その分割線の長さが今、分割したＬ字型の分割線の長さより長くならないよう型板のずらしえる範囲を注意する必要が���る。これは、大きさの小さい四角形やＬ字型を分解した後に、大きさの大きい四角形やＬ字型の分割を行うという間違いを避けるためで、これは、四角形やＬ字型の分割線には、どのような場合であっても、大きさの大きい四角形やＬ字型から大きさの小さい四角形やＬ字型へと順に分割して行かなければならないという原則が存在するためである。【００２５】  以下、寄棟屋根の屋根伏せ図作成用の四角形の分割は、図１に示す第一型板（１）である四角形（方形屋根の場合はＬ字型）を分割する型板からそれぞれの寸法に合ったものを選び、上記と同じ要領で行う。それを順に下記に記す。【００２６】  図６では、先ほどと同様の考え方で、四角形３の分割を進める。それには、既に分割済みの各四角形１と２を合体した形が、その合体した形以外の他の部分の平面形状と接している所の辺の内、最も長さの長いもの（この場合３センチメートル）を１辺として考えられる最も大きさの大きい四角形を分割し、寄棟屋根の屋根伏せ図作成用の四角形３とする。【００２７】  又、図７では、既に分割済みの各四角形１と２と３を合体した形が、その合体した形以外の他の部分の平面形状と接している所の辺の内、最も長さの長いもの（この場合２センチメートル）を１辺として考えられる最も大きさの大きい四角形は、分割線その１、その２、その３を使って分割することができるもの３箇所が考えられ、これらについてはいずれの分割線から分割してもよい。【００２８】  そこで、図８は、長さ２センチメートルの分割線その１を使用して四角形４を分割した場合であるが、この分割を行った場合、今、分割した四角形４を分割した時の分割線その１と直角方向にある分割線その２’を使って行う次の四角形の分割を考えた時に支障が生じる。それは、この場合、既に分割済みの各四角形１と２と３と４を合体した形が、その合体した形以外の他の部分の平面形状と接している所の辺の内、最も長さの長いものはこの場合、分割線その２’の長さ３センチメートルであり、その辺を１辺として考えられる最も大きさの大きい四角形５を分割すると、これは先の大きさ２センチメートルの小さい四角形４を分割した後に、大きさ３センチメートルの大きい四角形５を分割するということになり、屋根の分割の原則から外れ、後でこの部分の屋根伏せ図が描けなくなる。また、このことは図９に示すように、先に長さ２センチメートルの分割線その２を使用して四角形４’の分割を行った場合でも、四角形４’の分割後、分割線その２と直角方向にある分割線その１を使って行う次の四角形の分割を考えた時に先ほどと同様の支障が生じる。それは、この場合も既に分割済みの各四角形１と２と３と４’を合体した形が、その合体した形以外の他の部分の平面形状と接している所の辺の内、最も長さの長いものはこの場合、分割線その１’の長さ３センチメートルであり、その辺を１辺として考えられる最も大きさの大きい四角形５’を分割すると、これも先ほどと同様、先の大きさ２センチメートルの小さい四角形４’を分割した後に、大きさ３センチメートルの大きい四角形５’を分割するということになり、屋根の分割の原則から外れ、後でこの部分の屋根伏せ図が描けなくなる。【００２９】  そこで、図１０のように、分割線その４として、既に分割済みの各四角形１と２と３を合体した形の左下の角Ｂ’から上方と右方の２方向へ直角に、同じ長さ（２センチメートル）を伸ばした分割線を考え、それに接している方形屋根の屋根伏せ図作成用のＬ字型を分割し、Ｌ字型４とする。この場合、図１０に示すように方形屋根の一辺は、それぞれ３センチメートルとなるので、図１に示す第一型板（１）である四角形（方形屋根の場合はＬ字型）を分割する型板（型板の底辺溝（１１）の中心線の長さが３センチメートルのもの）を用いて、図１１のような要領で、まず型板の点Ａ、Ｂ、Ｃを図の点Ａ’、Ｂ’、Ｃ’の位置に重ねて置き、次に型板の作図順序である番号１から順に番号５まで黒く塗った部分を一筆書きで鉛筆等でなぞることにより、容易に方形屋根の屋根伏せ図作成用のＬ字形４が分割できる。【００３０】  さらに、図１２のように、既に分割済みの各四角形１と２と３と４を合体した形が、その合体した形以外の他の部分の平面形状と接している所の辺の内、最も長さの長いもの（この場合２センチメートル）を一辺として考えられる最も大きさの大きい四角形は、分割線その３、その５を使って分割することができるもの２箇所が考えられ、これらについてもいずれの分割線から分割してもよいが、分割線その５を使用した四角形５の分割の方は先ほど方形屋根の屋根伏せ図作成用のＬ字形４を分割した際、同時に分割がなされたため、図１３のように寄棟屋根の屋根伏せ図作成用の四角形として分割線その５に接する四角形に番号５と表示するだけでよい。【００３１】  そして、その後、図１４のように、既に分割済みの各四角形１と２と３と４と５を合体した形が、その合体した形以外の他の部分の平面形状と接している所の辺はこの場合、分割線その３（２センチメートル）のみとなり、その辺を一辺として考えられる最も大きさの大きい四角形を分割し、寄棟屋根の屋根伏せ図作成用の四角形６とする。【００３２】  最後に、図１５のように、既に分割済みの各四角形１と２と３と４と５と６を合体した形が、その合体した形以外の他の部分の平面形状と接している所の辺はこの場合、分割線その６（１センチメートル）のみとなり、その辺を一辺として考えられる最も大きさの大きい四角形を分割し、寄棟屋根の屋根伏せ図作成用の四角形７する。この四角形７の分割も先ほど寄棟屋根の屋根伏せ図作成用の四角形６を分割した際、同時に分割がなされたため、寄棟屋根の屋根伏せ図作成用の四角形として分割線その６に接する四角形に番号７と表示するだけでよい。【００３３】  以上のように、屋根伏せ図を描こうとする複雑な平面形状を、７つの四角形（一部Ｌ字型）に分割したものを図１６に示す。【００３４】  今、分割が終了した複雑な平面形状（図１６）に、次は分割を行った時と同じ順序で屋根伏せ図を描いていく。【００３５】  まず最初、図１７のような要領で分割した四角形１に寄棟屋根の屋根伏せ図を描く。【００３６】  次に、図１に示す第二型板（２）である寄棟屋根の屋根伏せ図を作成する型板（型板の底辺溝（２１）の中心線の長さが３センチメートルのもの）の裏面を用いて、図１８のような要領で、分割した四角形２に寄棟屋根の屋伏せ図を描く。それには、まず型板にある二���辺三角形の部分の底辺ＡＢ（型板の底辺溝（２１）の点Ａ、Ｂを結んだ中心線である線分ＡＢ、以下同様）を図の四角形２の線分Ａ’Ｂ’に重ねて置き、その型板の底辺ＡＢから最も近い谷隅（これは既に作成した屋根伏せ図の部分となす谷隅、以下同様）の所を型板の作図順序の番号１とし、そこから順に番号６まで黒く塗った部分を一筆書きで鉛筆等でなぞることにより、容易に寄棟屋根の屋根伏せ図の作図線が描ける。そして、図面に第二型板（２）の７番の○印を通る位置に描かれた作図線がある場合は、その作図線を消す。又、描けた屋根付せ図を透してその下に既に描いてある分割線も、その都度消す。以下、同じ要領で各四角形３、５、６、７の寄棟屋根の屋根伏せ図を描く。【００３７】  但し、Ｌ字型４だけは、方形屋根の屋根伏せ図作成用のものであるので図１に示す第三型板（３）である方形屋根の屋根伏せ図を作成する型板（型板の底辺溝（３１）の中心線の長さが３センチメートルのもの）を用いて、図１９、図２０のような要領で、既に寄棟屋根の屋根伏せ図が作成した四角形１から３に方形屋根の屋根伏せ図を描く。それにはまず、図１９のように表を向けた上記型板にある二等辺三角形の部分の底辺ＡＢ（型板の底辺溝（３２）の点Ａ、Ｂを結んだ中心線である線分ＡＢ、以下同様）をＬ字型４の線分Ａ’Ｂ’に重ねて置き、その型板の底辺ＡＢから最も近い谷隅の所を型板の作図順序の番号１とし、そこから順に番号６まで黒く塗った部分を一筆書きで鉛筆等でなぞることにより、容易に方形屋根の屋根伏せ図の作図線が描ける。【００３８】  次に、図２０のような要領で、上記の型板を裏返しにし、型板にある二等辺三角形の部分の底辺ＢＡをＬ字型４の線分Ｂ”Ａ’に重ねて置き、その型板の底辺ＢＡから最も近い谷隅の所を型板の作図順序の番号１とし、そこから順に番号６まで黒く塗った部分を一筆書きで鉛筆等でなぞることにより、容易に方形屋根の屋根伏せ図の作図線が描ける。【００３９】  これで、Ｌ字型４に方形屋根の屋根伏せ図が作成できた。【００４０】  但し、方形屋根は、図２１のように作図の時、図の一方の線分Ａ’Ｂ’から最も近い谷隅までの距離と他方の線分Ｂ’’Ａ’から最も近い谷隅までの距離とが、常に同じであるとは限らず、図２２に示すように異なる長さになる場合もある。その場合の方形屋根の屋根伏せ図作成用Ｌ字形４’’に屋根伏せ図を描く描き方は、図１に示す第三型板（３）である方形屋根の屋根伏せ図を作成する型板（型板の底辺溝（３１）の中心線の長さが３センチメートルのもの）を用い、図２３、図２４のような要領で行う。それにはまず、図２３の表を向けた上記、型板にある二等辺三角形の部分の底辺ＡＢ（型板の底辺溝（３１）の点Ａ、Ｂを結んだ中心線である線分ＡＢ、以下同様）を、Ｌ字形４’’の線分Ａ’Ｂ’に重ねて置き、その型板の底辺ＡＢから最も近い谷隅の所を型板の作図順序の番号１とし、そこから順に番号６まで黒く塗った部分を一筆書きで鉛筆等でなぞることにより、容易に方形屋根の屋根伏せ図の作図線が描ける。【００４１】  次に、図２４のような要領で上記の型板を裏返しにし、型板にある二等辺三角形の部分の底辺ＢＡをＬ字形４’’の線分Ｂ’’Ａ’に重ねて置き、その型板の底辺ＢＡから最も近い谷隅の所を型板の作図順序の番号１とし、そこから順に番号６まで黒く塗った部分を一筆書きで鉛筆等でなぞることにより、容易に方形屋根の屋根伏せ図の作図線が描ける。そしてこの場合、方形屋根の屋根伏せ図を描く時、双方、図のそれぞれの線分Ａ’Ｂ’と線分Ｂ’’Ａ’から最も近い谷隅までの距離が異なることから、図２４の注１に示すようにそれぞれの谷線の表われる位置にズレが生じ、そのズレの長さに当たる部分の作図線は全て消す。【００４２】  又、双方、図のそれぞれの線分Ａ’Ｂ’と線分Ｂ’’Ａ’から最も近い谷隅までの距離が２センチメートル以上になる場合には、図２４の注２に示すように型板の斜め溝（３６）で描いた作図線の間に挟まれた部分に、型板の斜め溝（３６）に重なる作図線がある場合は全て消す。【００４３】  上記のやり方によって、得られた屋根伏せ図の完成図を図２５に示し、最後に、この３枚の型板を使って作成した、より複雑な平面形状をなす建築物の屋根伏せ図を図２７（２０箇所の角を持つ複雑な平面形状をなす建築物の屋根伏せ図）、図２９（１００箇所の角を持つ複雑な平面形状をなす建築物の屋根伏せ図）に示す。但し図２６、図２８は、それらの分割図を示すものである。
【図面の簡単な説明】
【００４４】
【図１】第一型板（１）  四角形（方形屋根の場合はＬ字型）を分割する型板の図  第二型板（２）  寄棟屋根の屋根伏せ図を作成する型板の図  第三型板（３）  方形屋根の屋根伏せ図を作成する型板の図
【図２】複雑な平面形状をなす建築物の図
【図３】寄棟屋根の屋根伏せ図作成用の四角形１を分割した図
【図４】寄棟屋根の屋根伏せ図作成用の四角形２を分割した図
【図５】寄棟屋根の屋根伏せ図作成用の四角形２を第一型板（１）で分割する要領の図
【図６】寄棟屋根の屋根伏せ図作成用の四角形３を分割した図
【図７】寄棟屋根の屋根伏せ図作成用の四角形４として分割可能なもの（分割線その１、その２、その３を使用）を示す図
【図８】寄棟屋根の屋根伏せ図作成用の四角形４の分割として分割線その１を使用した場合の図
【図９】寄棟屋根の屋根伏せ図作成用の四角形４’の分割として分割線その２を使用した場合の図
【図１０】方形屋根の屋根伏せ図作成用のＬ字型４の分割として分割線その４を使用した場合の図
【図１１】方形屋根の屋根伏せ図作成用のＬ字型４を第一型板（１）で分割する要領の図
【図１２】寄棟屋根の屋根伏せ図作成用の四角形５として分割可能なもの（分割線その３、その５を使用）を示す図
【図１３】寄棟屋根の屋根伏せ図作成用の四角形５が、もう既にＬ字型４を分割した際、同時に分割されていることを示す図
【図１４】寄棟屋根の屋根伏せ図作成用の四角形６の分割として分割線その３を使用した場合の図
【図１５】寄棟屋根の屋根伏せ図作成用の四角形７が、もう既に四角形６を分割した際、同時に分割されていることを示す図
【図１６】複雑な平面形状をなす建築物を７つの四角形（一部Ｌ字型）に分割した図
【図１７】寄棟屋根の屋根伏せ図作成用の四角形１に寄棟屋根の屋根伏せ図を描いた図
【図１８】寄棟屋根の屋根伏せ図作成用の四角形２に第二型板（２）で寄棟屋根の屋根伏せ図を描く要領の図
【図１９】方形屋根の屋根伏せ図作成用のＬ字型４に第三型板（３）で方形屋根の屋根伏せ図を描く要領の図１
【図２０】方形屋根の屋根伏せ図作成用のＬ字型４に第三型板（３）で方形屋根の屋根伏せ図を描く要領の図２
【図２１】方形屋根の屋根伏せ図において図の線分Ａ’Ｂ’から最も近い谷隅までの距離と線分Ｂ’’Ａ’から最も近い谷隅までの距離が同じ場合の図
【図２２】方形屋根の屋根伏せ図において図の線分Ａ’Ｂ’から最も近い谷隅までの距離と線分Ｂ’’Ａ’から最も近い谷隅までの距離が異なる場合の図
【図２３】方形屋根の屋根伏せ図作成用のＬ字型４’’に第三型板（３）で方形屋根の屋根伏せ図を描く要領の図１
【図２４】方形屋根の屋根伏せ図作成用のＬ字型４’’に第三型板（３）で方形屋根の屋根伏せ図を描く要領の図２
【図２５】屋根伏せ図の完成図
【図２６】２０箇所の角を持つ複雑な平面形状をなす建築物の屋根の分割図
【図２７】２０箇所の角を持つ複雑な平面形状をなす建築物の屋根伏せ図
【図２８】１００箇所の角を持つ複雑な平面形状をなす建築物の屋根の分割図
【図２９】１００箇所の角を持つ複雑な平面形状をなす建築物の屋根伏せ図
【符号の説明】
【００４５】  １  第一型板
１１  底辺溝
１２  右辺溝
１３  左辺溝
１４  横棒溝
１５  右辺溝と左辺溝との間を結ぶ線が右辺溝の中心線上において底辺溝の中心線から上方に１センチメートル刻みの位置に実践と破線で表された目盛
１６  横棒溝の中心線の左端から右方へ１センチメートル刻みの位置に、１センチメートルずつ長さを増す下側垂線が破線で表された目盛
イ  開口部
２  第二型板
２１  底辺溝
２２  右辺溝
２３  左辺溝
２４  二等辺三角形の頂点
２５  垂線溝
２６  斜め溝
２７  丸穴
３  第三型板
３１  底辺溝
３２  右辺溝
３３  左辺溝
３４  二等辺三角形の頂点
３５  交点
３６  斜め溝
３７  延長線溝
Ａ、Ｂ、Ｃは、図案Ａ、図案Ｂ、図案Ｃを表す。
【図１】
2007098927.tif 000003
【図２】
2007098927.tif 000004
【図３】
2007098927.tif 000005
【図４】
2007098927.tif 000006
【図５】
2007098927.tif 000007
【図６】
2007098927.tif 000008
【図７】
2007098927.tif 000009
【図８】
2007098927.tif 000010
【図９】
2007098927.tif 000011
【図１０】
2007098927.tif 000012
【図１１】
2007098927.tif 000013
【図１２】
2007098927.tif 000014
【図１３】
2007098927.tif 000015
【図１４】
2007098927.tif 000016
【図１５】
2007098927.tif 000017
【図１６】
2007098927.tif 000018
【図１７】
2007098927.tif 000019
【図１８】
2007098927.tif 000020
【図１９】
2007098927.tif 000021
【図２０】
2007098927.tif 000022
【図２１】
2007098927.tif 000023
【図２２】
2007098927.tif 000024
【図２３】
2007098927.tif 000025
【図２４】
2007098927.tif 000026
【図２５】
2007098927.tif 000027
【図２６】
2007098927.tif 000028
【図２７】
2007098927.tif 000029
【図２８】
2007098927.tif 000030
【図２９】
2007098927.tif 000031